(57)【特許請求の範囲】
【請求項１】
平行に配設された複数本の根太の上面に複数のデッキ材を固着してなるデッキパネルを前記デッキ材の幅方向又は／及び前記デッキ材の長手方向に連結する装置であって、
前記根太と連結金具とから構成され、
前記根太は、前記デッキ材を支持する主部と、その主部の少なくとも一側から前記根太の長手方向に対して直角方向に延出する延出部と、その延出部の先端において下向きに突出し、切欠により左右に分割された係止部とを有し、
前記連結金具は、前記根太の端面又は側面に固着される取付部と、その取付部の両側部分から同じ方向に等距離延出する延出部と、前記延出部の先端部において一方側に直角に起立する前後方向係止部と、前記延出部の内側辺に前記前後方向係止部と同一側に起立する左右方向係止部と、前記左右方向係止部の間に設けられ前記根太の主部の長手方向端部を嵌合し得る根太嵌合空間と、前記左右方向係止部の基端部の間に形成された中間係止部とを有し、
前記根太の主部の幅は前記連結金具の根太嵌合空間の幅と等しく、前記中間係止部から前記両側の前後方向係止部を結ぶ直線に対する垂直投影距離は、前記根太の長手方向端面から前記切欠までの間の係止部の長さと等しく、前記根太の係止部の切欠の幅は前記連結金具の左右方向係止部の外面間の距離と等しくされていることを特徴とするデッキパネル連結装置。
【請求項２】
デッキ材の幅方向に順次連結して設置されるデッキパネルのうち、最後のデッキパネルを除く全てのデッキパネルに、連結金具を、各デッキパネルの根太の主部の端面に、その連結金具の延出部の一部、前後方向係止部及び左右方向係止部、根太嵌合空間並びに中間係止部を当該デッキパネルから側方に突出させた状態で固着し、
最初に設置されたデッキパネルの連結金具の根太嵌合空間に、その最初に設置されたデッキパネルの幅方向に隣接して設置される二番目のデッキパネルの根太の主部を嵌合するとともに、前記連結金具の前後方向係止部を前記二番目のデッキパネルの根太の切欠に嵌合してその切欠の両側の係止部を前記連結金具の前後方向係止部の外側面に当接させ、かつ、前記連結金具の中間係止部を前記２番目のデッキパネルの根太の端面に当接させることにより、前記最初に設置されたデッキパネルと前記二番目のデッキパネル同士を前後方向にも左右方向にも移動不可能な状態に連結し、以後、最後に設置されるデッキパネルまで、前記最初に設置されたデッキパネルと前記二番目のデッキパネルの連結と同じ要領で順次連結して、幅方向に隣接して設置されるデッキパネル同士を前後方向にも左右方向にも移動不可能な状態に連結することを特徴とする請求項１に記載のデッキパネル連結装置。
【請求項３】
デッキ材の長手方向に順次連結して設置されるデッキパネルのうち、最後のデッキパネルを除く全てのデッキパネルに、連結金具を、各デッキパネルの根太の主部の側面に、その連結金具の延出部の一部、前後方向係止部及び左右方向係止部、根太嵌合空間並びに中間係止部を当該デッキパネルから側方に突出させた状態で固着し、
最初に設置されたデッキパネルの連結金具の左右方向係止部をその最初に設置されたデッキパネルの長手方向に隣接して設置される二番目のデッキパネルの根太の切欠に嵌合するとともに、前記連結金具の前後方向係止部を前記二番目のデッキパネルの根太の切欠の両側の係止部の内面に当接させることにより、前記最初に設置されたデッキパネルと前記二番目のデッキパネル同士を前後方向にも左右方向にも移動不可能な状態に連結し、以後、最後に設置されるデッキパネルまで、前記最初に設置されたデッキパネルと前記二番目のデッキパネルの連結と同じ要領で順次連結して、長手方向に隣接して設置されるデッキパネル同士を前後方向にも左右方向にも移動不可能な状態に連結することを特徴とする請求項１に記載のデッキパネル連結装置。
【請求項４】
デッキ材の幅方向に順次連結して設置されるデッキパネルのうち、最後のデッキパネルを除く全てのデッキパネルに、連結金具を、各デッキパネルの根太の主部の側面に、その連結金具の延出部の一部、前後方向係止部及び左右方向係止部、根太嵌合空間並びに中間係止部を当該デッキパネルから側方に突出させた状態で固着するとともに、デッキ材の長手方向に順次連結して設置されるデッキパネルのうち、最後のデッキパネルを除く全てのデッキパネルに、連結金具を、各デッキパネルの根太の主部の側面に、その連結金具の延出部の一部、前後方向係止部及び左右方向係止部、根太嵌合空間並びに中間係止部を当該デッキパネルから側方に突出させた状態で固着し、
幅方向の最初に設置されたデッキパネルの連結金具の根太嵌合空間に、その最初に設置されたデッキパネルの幅方向に隣接して設置される二番目のデッキパネルの根太の主部を嵌合するとともに、前記連結金具の前後方向係止部を前記二番目のデッキパネルの根太の切欠に嵌合してその切欠の両側の係止部を前記連結金具の前後方向係止部の外側面に当接させ、かつ、前記連結金具の中間係止部を前記２番目のデッキパネルの根太の端面に当接させることにより、前記幅方向の最初に設置されたデッキパネルと前記二番目のデッキパネル同士を前後方向にも左右方向にも移動不可能な状態に連結し、以後、最後に設置されるデッキパネルまで、前記幅方向の最初に設置されたデッキパネルと前記二番目のデッキパネルの連結と同じ要領で順次連結して、幅方向に隣接して設置されるデッキパネル同士を前後方向にも左右方向にも移動不可能な状態に連結し、
長手方向の最初に設置されたデッキパネルの連結金具の左右方向係止部をその最初に設置されたデッキパネルの長手方向に隣接して設置される二番目のデッキパネルの根太の切欠に嵌合するとともに、前記連結金具の前後方向係止部を前記二番目のデッキパネルの根太の切欠の両側の係止部の内面に当接させることにより、前記長手方向の最初に設置されたデッキパネルと前記二番目のデッキパネル同士を前後方向にも左右方向にも移動不可能な状態に連結し、以後、最後に設置されるデッキパネルまで、前記長手方向の最初に設置されたデッキパネルと前記二番目のデッキパネルの連結と同じ要領で順次連結して、長手方向に隣接して設置されるデッキパネル同士を前後方向にも左右方向にも移動不可能な状態に連結することにより、
幅方向に隣接して設置されるデッキパネル同士及び長手方向に隣接して設置されるデッキパネル同士を前後方向にも左右方向にも移動不可能な状態に連結することを特徴とする請求項１に記載のデッキパネル連結装置。
【発明の詳細な説明】
【０００１】
【発明の属する技術分野】
本発明は、デッキパネル連結装置、さらに詳しくは、平行に配設された複数本の根太の上面に複数のデッキ材を固着してなるデッキパネルを前記デッキ材の幅方向又は／及び前記デッキ材の長手方向に連結するための装置に関する。
【０００２】
【従来の技術】
ベランダの柵に木製又は木調のトリレスを用い、又は添設することに合わせて、ベランダの床に、既製の木製又は木調のデッキを敷設することが好んで行われている。
【０００３】
住宅やマンションのベランダの床の寸法、形状、面積は千差万別である。一方、市販されている既製の木製又は木調デッキパネルは、メーカー側で決定した所定寸法の矩形状に形成されている。従って、あるベランダにデッキを付設するには、複数枚のデッキパネルを長手方向又は／及び幅方向に連設する必要がある。
【０００４】
【発明が解決しようとする課題】
ところで、従来のデッキパネルを長手方向に連設する場合は、単にデッキパネルを順次ベランダの床面上に載せ、隣接するデッキパネルの長手方向端部同士を接触させるだけであり、また、デッキパネルを幅方向に連設する場合は、デッキパネルを構成する各デッキ材の間に所定幅の雨水排水用隙間が形成されているので、連設されるデッキパネルの互いに隣り合うデッキ材の対向面に前記隙間と等しい間隙を確保するためのスペーサ部材を接合し、そのスペーサ部材を当接させた状態でデッキパネルをベランダ床面に載置するに止まっていた。
従って、連設されるデッキパネルは互いに接近する方向の移動は規制されているが、互いに離間する方向には規制されていないため、デッキの外周辺はベランダや建物躯体により押さえられていない場合が多いが、このような場合はとくに、地震、工事振動や工場振動あるいは交通振動などで、各デッキパネルが不規則的に移動して離間し、その間に不揃いに乱れた隙間が発生し、体裁が好ましくないばかりでなく、その隙間にごみが侵入して排除が困難になったり、歩行者が足を怪我したりする恐れがあった。
【０００５】
隣接するデッキパネルを連結金具で連結することも考えられるが、多くの連結金具は、隣接するデッキパネルの一方に固着し、他方のデッキパネルを前記一方のデッパネルに対して真上から載置した後、水平面に沿って離間する方向に移動し、その間にスペーサを詰めて、所定の隙間を確保すると同時に、両デッキパネルを固定するものである。そのため、デッキの面積がベランダ床面の面積と等しい場合は、後に連結されるデッキパネルを水平面移動する余裕がないため、デッキをベランダ床面にぴったり適合した状態で取付けることはできなかった。
【０００６】
本発明は、上記の点に鑑みてなされたものであり、その課題は、デッキパネルの構成部材である根太の構造を工夫し、かつ、構成が簡単な連結金具をその根太に取付けて、その連結金具と根太の構造の係止作用を利用することにより、簡単な作業で複数のデッキパネルを堅固に連結できるようにすることにある。また、連結後は、デッキ材の長手方向にも、幅方向にも移動しないように連結することにある。
【０００７】
【課題を解決するための手段】
上記課題を解決するため、本発明によるデッキパネル連結装置は、（ａ）根太(1) と連結金具(3) とから構成され、（ｂ）根太(1) は、デッキ材を支持する主部(11)と、その主部の少なくとも一側から根太の長手方向に対して直角方向に延出する延出部(12)と、その延出部の先端において下向きに突出し、切欠(14)により左右に分割された係止部(13a,13b )とを有し、（ｃ）連結金具(3) は、根太の端面又は側面に固着される取付部(31)と、その取付部の両側部分から同じ方向に等距離延出する延出部(32,32) と、その延出部の先端部において一方側に直角に起立する前後方向係止部(33,33) と、延出部の内側辺に前記前後方向係止部と同一側に起立する左右方向係止部(34,34) と、その左右方向係止部の間に根太の主部の長手方向端部を嵌合し得る根太嵌合空間(35)と、左右方向係止部の基端部の間に形成された中間係止部(36)とを有し、（ｄ）根太(1) の主部(11)の幅(W) は連結金具の根太嵌合空間(35)の幅(W) と等しく、中間係止部から両側の前後方向係止部(33,33) を結ぶ直線に対する垂直投影距離(L1)は、根太の長手方向端部から切欠(14)までの距離(L1)と等しく、根太の切欠(14)の幅(L2)は連結金具の左右方向係止部(34,34) の外面間の距離(L2)と等しくされていることを特徴としている。
上記構成により、デッキパネルの長手方向連結（図１参照）、幅方向連結（図２参照）、又は長手方向及び幅方向の連結（図３参照）の３態様の連結が可能である。すなわち、長手方向に隣接して設置されるデッキパネルの一方のデッキパネルの根太の主部の端面に連結金具を固着し、その連結金具の根太嵌合空間に前記長手方向に隣接して設置されるデッキパネルの他方のデッキパネルの根太の長手方向端部を嵌合し、かつ、その根太の長手方向端面を連結金具の中間係止部に当接させるとともに、連結金具の前後方向係止部を根太の係止部の切欠側端部に当接させることにより、デッキパネルが前後左右方向に移動不能な状態で長手方向に連結される。また、幅方向に隣接して設置されるデッキパネルの一方のデッキパネルの根太の主部の側面に連結金具をを固着するとともに、連結金具の根太嵌合空間を根太の切欠と位置合わせし、中間係止部を前記一方の根太の延出部の先端に当接させ、前記幅方向に隣接して設置されるデッキパネルの他方のデッキパネルの根太の係止部を連結金具の左右方向係止部の内側面に当接させることにより、デッキパネルが前後左右方向に移動不能な状態で幅方向に連結される。さらに、長手方向に隣接して設置されるデッキパネルの一方のデッキパネルの根太の主部の端面に連結金具を固着し、その連結金具の根太嵌合空間に前記長手方向に隣接して設置されるデッキパネルの他方のデッキパネルの根太の長手方向端部を嵌合し、かつ、その根太の長手方向端面を連結金具の中間係止部に当接させるとともに、連結金具の前後方向係止部を根太の係止部の切欠側端部に当接させることにより、デッキパネルが前後左右方向に移動不能な状態で長手方向に連結され、幅方向に隣接して設置されるデッキパネルの一方のデッキパネルの根太の主部の側面に連結金具をを固着するとともに、連結金具の根太嵌合空間を根太の切欠と位置合わせし、中間係止部を前記一方の根太の延出部の先端に当接させ、前記幅方向に隣接して設置されるデッキパネルの他方のデッキパネルの根太の係止部を連結金具の左右方向係止部の内側面に当接させることにより、デッキパネルが前後左右方向に移動不能な状態で長手方向及び幅方向に連結される。
【０００８】
請求項２の発明は、請求項１に記載されたデッキパネル連結装置において、デッキ材の幅方向に順次連結して設置されるデッキパネルのうち、最後のデッキパネルを除く全てのデッキパネルに、連結金具を、各デッキパネルの根太の主部の端面に、その連結金具の延出部の一部、前後方向係止部及び左右方向係止部、根太嵌合空間並びに中間係止部を当該デッキパネルから側方に突出させた状態で固着し、最初に設置されたデッキパネルの連結金具の根太嵌合空間に、その最初に設置されたデッキパネルの幅方向に隣接して設置される二番目のデッキパネルの根太の主部を嵌合するとともに、前記連結金具の前後方向係止部を前記二番目のデッキパネルの根太の切欠に嵌合してその切欠の両側の係止部を前記連結金具の前後方向係止部の外側面に当接させ、かつ、前記連結金具の中間係止部を前記２番目のデッキパネルの根太の端面に当接させることにより、前記最初に設置されたデッキパネルと前記二番目のデッキパネル同士を前後方向にも左右方向にも移動不可能な状態に連結し、以後、最後に設置されるデッキパネルまで、前記最初に設置されたデッキパネルと前記二番目のデッキパネルの連結と同じ要領で順次連結して、幅方向に隣接して設置されるデッキパネル同士を前後方向にも左右方向にも移動不可能な状態に連結することを特徴としている。
請求項３の発明は、請求項１に記載されたデッキパネル連結装置において、デッキ材の長手方向に順次連結して設置されるデッキパネルのうち、最後のデッキパネルを除く全てのデッキパネルに、連結金具を、各デッキパネルの根太の主部の側面に、その連結金具の延出部の一部、前後方向係止部及び左右方向係止部、根太嵌合空間並びに中間係止部を当該デッキパネルから側方に突出させた状態で固着し、最初に設置されたデッキパネルの連結金具の左右方向係止部をその最初に設置されたデッキパネルの長手方向に隣接して設置される二番目のデッキパネルの根太の切欠に嵌合するとともに、前記連結金具の前後方向係止部を前記二番目のデッキパネルの根太の切欠の両側の係止部の内面に当接させることにより、前記最初に設置されたデッキパネルと前記二番目のデッキパネル同士を前後方向にも左右方向にも移動不可能な状態に連結し、以後、最後に設置されるデッキパネルまで、前記最初に設置されたデッキパネルと前記二番目のデッキパネルの連結と同じ要領で順次連結して、長手方向に隣接して設置されるデッキパネル同士を前後方向にも左右方向にも移動不可能な状態に連結することを特徴としている。
請求項４の発明は、請求項１に記載されたデッキパネル連結装置において、デッキ材の幅方向に順次連結して設置されるデッキパネルのうち、最後のデッキパネルを除く全てのデッキパネルに、連結金具を、各デッキパネルの根太の主部の側面に、その連結金具の延出部の一部、前後方向係止部及び左右方向係止部、根太嵌合空間並びに中間係止部を当該デッキパネルから側方に突出させた状態で固着するとともに、デッキ材の長手方向に順次連結して設置されるデッキパネルのうち、最後のデッキパネルを除く全てのデッキパネルに、連結金具を、各デッキパネルの根太の主部の側面に、その連結金具の延出部の一部、前後方向係止部及び左右方向係止部、根太嵌合空間並びに中間係止部を当該デッキパネルから側方に突出させた状態で固着し、幅方向の最初に設置されたデッキパネルの連結金具の根太嵌合空間に、その最初に設置されたデッキパネルの幅方向に隣接して設置される二番目のデッキパネルの根太の主部を嵌合するとともに、前記連結金具の前後方向係止部を前記二番目のデッキパネルの根太の切欠に嵌合してその切欠の両側の係止部を前記連結金具の前後方向係止部の外側面に当接させ、かつ、前記連結金具の中間係止部を前記２番目のデッキパネルの根太の端面に当接させることにより、前記幅方向の最初に設置されたデッキパネルと前記二番目のデッキパネル同士を前後方向にも左右方向にも移動不可能な状態に連結し、以後、最後に設置されるデッキパネルまで、前記幅方向の最初に設置されたデッキパネルと前記二番目のデッキパネルの連結と同じ要領で順次連結して、幅方向に隣接して設置されるデッキパネル同士を前後方向にも左右方向にも移動不可能な状態に連結し、長手方向の最初に設置されたデッキパネルの連結金具の左右方向係止部をその最初に設置されたデッキパネルの長手方向に隣接して設置される二番目のデッキパネルの根太の切欠に嵌合するとともに、前記連結金具の前後方向係止部を前記二番目のデッキパネルの根太の切欠の両側の係止部の内面に当接させることにより、前記長手方向の最初に設置されたデッキパネルと前記二番目のデッキパネル同士を前後方向にも左右方向にも移動不可能な状態に連結し、以後、最後に設置されるデッキパネルまで、前記長手方向の最初に設置されたデッキパネルと前記二番目のデッキパネルの連結と同じ要領で順次連結して、長手方向に隣接して設置されるデッキパネル同士を前後方向にも左右方向にも移動不可能な状態に連結することにより、幅方向に隣接して設置されるデッキパネル同士及び長手方向に隣接して設置されるデッキパネル同士を前後方向にも左右方向にも移動不可能な状態に連結することを特徴としている。
【０００９】
【発明の実施の形態】
次に、本発明の実施の形態について、図面を参照しながら説明する。
図１〜図３は、本発明装置を用いてデッキパネルを連結する場合の３つの連結態様を示す説明図、図４は本発明のデッキパネル連結装置の構成要素である連結金具と根太の構造の一例を示す斜視図、図５は同連結金具を用いてデッキパネルを第１の連結態様で連結する場合の連結金具の取付けを説明する斜視図、図６は同連結態様による連結部分の平面図、図７は図６のＸ−Ｘ線断面図である。
【００１０】
本発明によるデッキパネル連結装置により連結されるデッキパネルＰは、図１〜図３に示すように、平行に配置された複数本の根太（１にアルファベット文字を付加した符号。特定の根太を指定しない場合は、代表符号として１を用いる。）の上面に、根太に直角な方向に長い複数枚のデッキ材２を固着してなるものである。図１〜図３に示されたデッキパネルＰ１〜Ｐ４は、すべて同一数、すなわち４本の根太１を有する例である。しかし、根太の数は限定されない。各図の（ａ）はデッキパネルの連結前、（ｂ）は連結後の形態を示している。
【００１１】
デッキ材２の構造及び断面形状は任意であり、また、各根太１にデッキ材２を固着するための構造及び固着具も任意である。しかし、上述のように、木製又は木調のトリレス（不図示）と調和させるために、デッキ材２は、一例として、図５に例示するように、所要の強度を具備するためのアルミニゥムなど金属形材からなる骨格部材２１に、その上面及び幅方向両側面を被覆する樹脂形材からなる被覆部材２２を装着してなっており、その被覆部材２２は、表面に木材と同様の色彩又は色彩と模様を有している。好ましくは、各デッキ材の長手方向の、他のデッキパネルと連結されない側の端部には、慣用の小口被覆キャップ２５（図６参照）が装着される。
【００１２】
図４の１Ａは、上記デッキ材２を支持する複数の根太１のうち、後記連結金具３と協同して複数のデッキパネルを連結するために用いられる根太である。このデッキパネルの連結に関与する根太１Ａは、図４及び図５に一部を示すように、デッキ材２を支持する主部１１と、その主部の少なくとも一側に延出された延出部１２と、その延出部の先端に形成された下向きの屈曲縁１３と、屈曲縁１３にその端部付近において設けられた切欠１４と、その切欠の左右両側に残された屈曲縁の一部で形成された係止部１３ａ，１３ｂとを有している。なお、図５には、中間の根太が省略されている。これら延出部１２と、係止部１３ａ，１３ｂと、切欠１４とで、後記連結金具３と協同する係止手段が構成されている。
【００１３】
根太１Ａの主部１１は所要の強度を具備するため中空状に形成されている。主部１１と延出部１２の上面は一つの平面を形成しており、その平面に図５に示すようにデッキ材２を載置し、延出部１２に開けてある貫通孔１５にその下側から貫通したビスＳ（図６，７，１０〜１２参照）をデッキ材２にねじ込むことにより、根太１にデッキ材２が固着されるようになっている。そして、根太１Ａの係止部１３ａ，１３ｂのうち、根太の長手方向端部側の係止部１３ａは所定の長さＬ１を有し、また、切欠１４は所定の幅Ｌ２を有している。
デッキパネルの連結時に、その前後左右を選ぶ煩わしさを回避するため、好ましい実施例では、上記係止手段は根太１Ａの両端部に対称的に形成されている。また、根太１Ａに連結金具３を取付ける手段の一例として、主部１１の下部両側に長手方向及び水平方向の両側に開口するビスホール１６が形成されている。
【００１４】
デッキパネルＰを図１に示す連結態様、すなわち、デッキ材２の幅方向に連結する場合は、上記係止手段を有する根太１Ａは、デッキパネルＰの長手方向に隔てた２カ所に設けられれば良く、その位置はとくに制限されない。図１に示すデッキパネルＰ１，Ｐ２の好ましい例では、デッキパネルの長手方向両端部の根太１ａ，１ｄに上記係止手段を有する根太１Ａが用いられている。しかし、これに代えて、中間部の根太１ｂ，１ｃ又は、長手方向一端部の根太と一つの中間部の根太１ａ，１ｃ、もしくは１ｂ，１ｄのいずれかの組合わせを、上記係止手段を有する根太１Ａとしても良い。
【００１５】
デッキパネルＰを図２に示す連結態様、すなわち、デッキ材２の長手方向に連結する場合は、少なくともデッキパネルＰ１，Ｐ２の長手方向両端部の根太１ａ，１ｄに、上記係止手段を有する根太１Ａが用いられる。そして、デッキパネルＰ１，Ｐ２の長手方向両端部の根太１ａ，１ｄは、デッキ材２の長手方向端部から所定距離（Ｌ３。図９、図１２参照）の位置に設けられている。さらに、連結される二つのデッキパネルＰ１，Ｐ２には、これらを位置を合わせて隣接させた時は、係止手段を備えた根太１Ａが相対するように対称的に設けられている。さらに、二つのデッキパネルＰ１，Ｐ２のデッキ材の長手方向両端部の根太１Ａは、切欠１４が互いに対向するように設けられている。
【００１６】
デッキパネルＰを図３に示す連結態様、すなわち、３枚以上のデッキパネルをデッキ材の幅方向及び長手方向に連結する場合は、デッキパネルＰ１，Ｐ２の長手方向両端部の根太１ａ，１ｄのほか、中間部の根太１ｂ，１ｃにも係止手段を備えた根太１Ａが用いられる。
結局、いずれのデッキパネルＰも、そのすべての根太１ａ〜１ｄを、係止手段を有する根太１Ａとすれば、同一のデッキパネルを図１ないし図３のいずれの連結態様でも連結することが可能になる利点がある。
【００１７】
上記係止手段を備えた根太１Ａを用いて複数のデッキパネルを連結するために用いられる連結金具３は、図４に示すように、一例としてネジ止め等により根太１Ａに固着される取付部３１と、その取付部３１から一方向に張り出し、かつ、両側において同じ方向に等距離を持って矩形板状に延出する延出部３２とを有し、また、規制手段として、両延出部の先端に延出部に対して一方側に直角に起立された前後方向係止部３３と、両延出部の内側辺にその延出部に対して前後方向係止部３３と同一側に直角に起立され、平行に延びる左右方向係止部３４と、その一対の左右方向係止部３４の間に形成された根太嵌合空間３５と、取付部３１からの張出し部分の中央部において前後方向係止部３３及び左右方向係止部３４の起立方向と反対方向に起立されている中間係止部３６とを有している。
そして、中間係止部３６から両前後方向係止部３３を結ぶ直線に対する垂直投影距離Ｌ１は、根太１Ａの長手方向端部側の係止部１３ａの長さＬ１と等しく、根太嵌合空間３５の幅Ｗは、根太１Ａの主部１１の幅Ｗと等しく、一対の左右方向係止部３４の外面間の距離Ｌ２は根太１Ａの切欠１４の長さＬ２と等しくされている。また、取付部３１には二つのねじ貫通孔３７が、根太１Ａの二つのビスホール１６の間隔と等しい間隔を持って形成されている。
【００１８】
上記連結金具３は、図１の連結態様の場合は、連結される二つのデッキパネルＰ１，Ｐ２のうち、一方のデッキパネル、例えばＰ１の根太１ａ，１ｄの他方のデッキパネルＰ２と連結される側の端部に、次のようにして取付けられる。図１（ａ）の円Ａは連結金具３の取付位置を示している。図５に示されるように、前後方向係止部３３及び左右方向係止部３４を図５においては上向きにして、連結金具３の取付部３１を根太１Ａの端面に当て、貫通孔３７からタッピングねじ又はドリリングタッピングねじ４をビスホール１６にねじ込んで固着し、連結金具３の延出部３２、前後方向係止部３３、左右方向係止部３４及び根太嵌合空間３５をデッキパネルＰ１から側方に突出させる（図７参照）。
【００１９】
複数のデッキパネルを連結する場合は、最後の一つのデッキパネルを除くすべてのデッキパネルの根太１Ａのデッキパネル連結側の端部に予め連結金具３が取付けられる。
そして、図７に示すように、ベランダ等の床面Ｆに連結金具３を取付けた最初の一つのデッキパネルＰ１を置き、そのデッキパネルの隣に二番目のデッキパネルＰ２をベランダの床面に置き、その根太１Ａを最初のデッキパネルＰ１の根太１Ａと位置合わせして、二番目のデッキパネルＰ２の先のデッキパネルＰ１側の端部を若干持ち上げ、二つのデッキパネルＰ１，Ｐ２の隣り合うデッキ材２の間隔ｃ１を、デッキパネルに固着してあるデッキ材の間に形成されている排水溝２３の幅ｃ２と等しくした状態で、２番目のデッキパネルＰ２の最初のデッキパネルＰ１側の端部を下降して、そのデッキパネルＰ２をベランダ床面上に静置し、この時、二番目のデッキパネルＰ２の根太１Ａの主部１１を連結金具３の根太嵌合空間３５に嵌合するとともに、前後方向係止部３３を根太１Ａの切欠１４に嵌合して係止部１３ａの内側端部に近接させ又は接触させると同時に、中間係止部３６を二番目のデッキパネルＰ２の根太１Ａの端面に近接させ又は接触させる。
【００２０】
これにより、二番目のデッキパネルＰ２は、その根太１Ａの主部１１の連結金具３の根太嵌合空間３５に対する嵌合により、デッキパネルＰ２のデッキ材長手方向（図７の紙面に直交する方向。図１のＤ１方向）の移動が規制され、また、根太１Ａの係止部１３ａの内側端部と前後方向係止部３３及び根太１Ａの端面と中間係止部３６の係合により、デッキパネルＰ２のデッキ材幅方向（図７の左右方向。図１のＤ２方向）の移動が規制される。こうして、ベランダ床面上に最初に静置されたデッキパネルＰ１に隣接する位置において二番目のデッキパネルＰ２を単に正確な位置合わせをして真下方向に下げるだけで前後方向にも左右方向にも移動不可能な状態に連結することができる。しかも、隣接するデッキパネルＰ１，Ｐ２の間には、各デッキパネルにおける排水溝２３の幅ｃ２と等しい幅の間隙ｃ１が形成されるため、完成したデッキの上面外観が優れている。
【００２１】
二２番目のデッキパネルＰ２から最後のデッキパネルまでは、上述した最初と二番目のデッキパネルの連結の場合と同様の要領で連結作業が繰返し行われる。
【００２２】
図５において、２４はデッキパネルのすべての根太１の下面に接着その他の方法で固着された合成ゴム等で作られた滑り止め部材であり、根太の長手方向に適当な間隔をもって複数個設けられている。
【００２３】
続いて、連結金具３を用いて複数のデッキパネルを図２に示す連結態様で、すなわち、デッキ材の長手方向に連結する場合について、図８ないし図１２の図面を用いて説明する。
図８は、連結金具３のデッキパネルＰに対する取付方法を示す斜視図、図９は連結金具３が取付けられた状態のデッキパネルの底面図、図１０は二つのデッキパネルが連結金具を用いて連結されるときの作用及び効果を説明する断面図、図１１は図１０のＹ−Ｙ断面図、図１２は図１０に対応する平面図である。
【００２４】
この連結態様の場合の連結金具３は、連結される二つのデッキパネルＰ１，Ｐ２の一方のデッキパネル、例えばＰ１の他方のデッキパネル側の根太１Ａの長手方向両端部に取付けられる。図２の円Ｂは、連結金具の取付位置を示している。
【００２５】
連結金具３の根太１Ａに対する取付方法は、図８に示すように、連結金具３の根太嵌合空間３５を根太１Ａの切欠１４に位置的に合致させて、取付部３１を根太１Ａの主部１１の側面に当接するとともに、左右方向係止部３４をその切欠１４に挿入して、左右方向係止部３４の外面を係止部１３ａ，１３ｂの切欠１４４を画成している辺に当接させる。そして、取付部３１の貫通孔３７からドリリングタッピングねじ４を根太１Ａのビスホール１６にねじ込んで、連結金具３が、その延出部３２の一部、前後方向係止部３３及び左右方向係止部３４の一部を、図９に示すように、デッキパネルＰ１の端部からデッキパネル連結方向に突出させた状態で、予め取り付けられる。
【００２６】
なお、図８及び図９に示すように、連結金具３をデッキパネルの根太１Ａに取り付ける際は、取付け作業を容易にするため、デッキパネルの下面を上方に向けた状態で行われる。
【００２７】
図２に示す連結態様の場合は、図１０に示すように、連結金具３を取り付けた最初のデッパネルＰ１がベランダ等の床面Ｆ上の所定位置に静置され、そのデッキパネルの連結側において二番目のデッキパネルＰ２をベランダ床面上に静置し、その二番目のデッキパネルＰ２の最初のデッキパネル側の端部を若干持ち上げ、二つのデッキパネルのデッキ材２の長手方向端部同士が共通の一つの垂直面上に存在するように位置合わせし、そのまま、２番目のデッキパネルＰ２の持ち上げられていた端部を真下に下降して、二番目のデッキパネルＰ２をベランダ床面上に水平状態で安定させ、かつ、両デッキパネルのデッキ材２の端部同士を密着させる。その時、連結金具３の左右方向係止部３４を二番目のデッキパネルＰ２の根太１Ａの切欠１４に嵌合させ、かつ、その連結金具の前後方向係止部３３を根太１Ａの係止部１３ａ，１３ｂの内面（主部１１側の面）に近接させ又は接触させる（図１２参照）。
【００２８】
これにより、二番目のデッキパネルＰ２は、その根太１Ａの係止部１３ａ，１３ｂと最初のデッキパネルＰ１の連結金具３の左右方向係止部３４との係合により最初のデッキパネルＰ１に対して左右方向（デッキ材の長手方向に対して直角な方向。図２のＤ２方向。図１２の上下方向）の移動が規制され、また、先のデッキパネルの連結金具３の前後方向係止部３３と二番目のデッキパネルの根太の係止部１３ａ，１３ｂとの係合により、二番目のデッキパネルＰ２は、最初のデッキパネルＰ１に対して前後方向（デッキ材の長手方向。図２のＤ１方向。図１２の左右方向）の移動が規制される。しかも、隣接するデッキ材間の排水溝２３も隙間を生じることなく連続する。
【００２９】
デッキパネルをデッキ材長手方向に３枚以上連結する場合は、連結金具３が最初のデッキパネルから最後より一つ前のデッキパネルまで、各デッキパネルの長手方向両端部の根太１Ａに取付けられる。そして、図２（ａ）からも明らかなように、最後のデッキパネルには、連結金具の取付が不要である。そして、三番目から最後のデッキパネルまでは、二番目のデッキパネルの最初のデッキパネルに対する連結と同一の要領で連結作業が繰返し行われる。
【００３０】
図３に示されたように、３枚以上のデッキパネルＰ１〜Ｐ４を幅方向と長手方向に連結する場合は、同図（ａ）に示すように、幅方向に隣接するデッキパネルＰ１，Ｐ２及びＰ３，Ｐ４のいずれか一方のデッキパネルに、図５に基づいて説明したと同様にして根太１Ａの端部に連結金具３が取り付けられ、長手方向に隣接するデッキパネルＰ１，Ｐ３及びＰ２，Ｐ４のいずれか一方のデッキパネル、例えばＰ１，Ｐ２に図８及び図９に基づいて説明したと同様にして根太１Ａの端部に連結金具３が取り付けられる。図３（ａ）の円Ａ，Ｂは、それぞれ図１の円Ａ、図２の円Ｂと同様に、連結金具の取付位置を示す。そして、それぞれ上述したと同様の連結作業により、図３（ｂ）に示すような複数個のデッキパネルＰ１〜Ｐ４が縦方向と横方向に連結されたデッキを構成することができる。
【００３１】
最も好ましい実施例においては、すべてのデッキパネルに係止手段を有する同一形状構造の根太１Ａがすべて同一の数及び位置関係において固着されている。これにより、各種の形状及び面積を有するベランダに対応して、１種類のデッキパネルを図１ないし図３のいずれの連結態様にも、あるいはさらに他の連結態様にも連結することができる。
しかも、いずれの場合も、一つのデッキパネルに対してこれに続く次のデッキパネルを単に真下に落とし込むだけの簡単な連結作業で、前後及び左右のいずれの方向にも移動しないように連結することができる。そして、各デッキパネルは相互連結の結果、単独のパネルよりも重量が増しているので、いずれか一つのデッキパネルにペランダ上の人から又は荷物の移動の際に力が加わっても、容易に移動することはない。また、地震や工場振動や交通振動などによって容易に移動することも有効に防止される。
【００３２】
なお、連結金具３の形状、一つの根太１Ａに対する取付構造、及び根太１Ａの連結金具に対する規制手段の構造は、図示されたものに限定されるものでない。例えば、根太１Ａには、屈曲縁１３に切欠１４を形成して、その両側に係止部１３ａ，１３ｂを形成することに代えて、根太１Ａには屈曲縁１３を設けずに、図１３に例示するように、貫通孔５４を設けた固着片５１、連結金具３の係止部１３ａ，１３ｂ及びその間の切欠１４にそれぞれ対応する係止片５２ａ，５２ｂ及び切欠５３を有する係止金具５を根太１Ａの延出部１２の下面に固着することによっても、同一の作用効果を得ることが可能である。
【００３３】
デッキパネル連結装置は上記の構成であるから、保守や交換などのために床面から任意のデッキパネルを取り外す必要が生じた場合は、当該デッキパネルのみを単に真上に引き上げることにより、又は当該デッキパネルに後続するデッキパネルがある場合は、それら後続パネルを真上に引き上げて順次外した後、当該デッキパネルを真上に引き上げることにより、容易に取り外すことができる。
連結する場合、又は取り外す際に、デッキパネルを水平方向に移動する必要がないので、ベランダの床面の一部にデッキにより被覆されない部分を生じることなく、デッキを床面にぴったりと適合させて設置することができる。
【００３４】
上には、デッキパネルをベランダ床面に連設する場合の例について説明したが、上記デッキパネル連結装置は、デッキパネルをガーデンデッキやルーフガーデンの床面に連設する場合にも、同様に採用可能であることは、多言を要しない。
【００３５】
【発明の効果】
上述のように、本発明によれば、同一の根太及び連結金具を用いて、単に連結金具の根太に対する固着位置を選択するだけで、デッキパネルの幅方向連結、長手方向連結又は幅方向と長手方向の連結が可能である。また、連設されるデッキパネルのそれぞれに係止部を有する根太を固着し、隣接するデッキパネルの一方のデッキパネルに連結金具を取付けることにより、床面に単に真下に落とし込む簡単な作業で連結することができ、かつ、逆の順序で容易に取り外すこともできる。また、連結されたデッキパネルは前後方向にも左右方向にも移動不能に連結されるので、地震その他の振動により位置ずれして、デッキの外観が損なわれたり、デッキ上での怪我の原因になったりすることが防止される。
【図面の簡単な説明】
【図１】  本発明装置によるデッキパネルの一つの連結態様を示す説明図。
【図２】  同じくデッキパネルの他の連結態様を示す説明図。
【図３】  同じくデッキパネルのさらに他の連結態様を示す説明図。
【図４】  本発明のデッキパネル連結装置の構成要素である連結金具と根太の構造の一例を示す斜視図。
【図５】  同連結金具を用いてデッキパネルを第１の連結態様で連結する場合の連結金具の取付状態を説明する斜視図。
【図６】  同連結態様による連結部分の平面図。
【図７】  図６のＸ−Ｘ線断面図。
【図８】  連結金具のデッキパネルに対する取付方法を示す斜視図。
【図９】  連結金具がデッキパネルに取り付けられた状態の平面図。
【図１０】  二つのデッキパネルが連結金具を用いて連結されるときの作用及び効果を説明する断面図。
【図１１】  図１０のＹ−Ｙ断面図。
【図１２】  図１０に対応する平面図。
【図１３】  係止金具の一例を示す斜視図。
【符号の説明】
１Ａ            根太
１３ａ，１３ｂ、１４  係止手段
１３ａ，１３ｂ    係止部
１４              切欠
１６            ビスホール（取付け手段）
２              デッキ材
３              連結金具
３１              取付部
３２              延出部
３３              前後方向係止部
３４              左右方向係止部
３５              根太嵌合空間
３６              中間係止部
【図１】
0003947656.tif 000002
【図２】
0003947656.tif 000003
【図３】
0003947656.tif 000004
【図４】
0003947656.tif 000005
【図５】
0003947656.tif 000006
【図６】
0003947656.tif 000007
【図７】
0003947656.tif 000008
【図８】
0003947656.tif 000009
【図９】
0003947656.tif 000010
【図１０】
0003947656.tif 000011
【図１１】
0003947656.tif 000012
【図１２】
0003947656.tif 000013
【図１３】
0003947656.tif 000014